(57)【要約】【課題】撮影中の撮像装置に衝撃が加わった場合に記録に適さない画像データが記録されることを防止して使い勝手を向上させる。【解決手段】レンズバリア７０は駆動機構１７０によってレンズ鏡筒１２の開口を開放する開放位置と閉塞する閉塞位置との間で揺動するように構成されている。レンズバリア７０の位置を検出する検出手段１７２を設け、レンズバリア７０が駆動機構１７０によらず開放位置から閉塞位置に移動したことが検出手段１７２によって検知されたときに動画データの記録媒体１５２への記録動作を停止させる。【選択図】        図１２
2006078755.tif 000002
【特許請求の範囲】
【請求項１】
撮影光学系が組み込まれたレンズ鏡筒と、
前記レンズ鏡筒の内部に設けられ前記撮影光学系によって導かれた被写体像を撮像して撮像信号を生成する撮像素子と、
前記撮像素子から出力される前記撮像信号に基づいて生成した画像データを記録媒体に記録する画像記録手段と、
前記レンズ鏡筒の開口に設けられ前記開口を開放する開放位置と前記開口を閉塞する閉塞位置との間で移動するレンズバリアと、
前記レンズバリアを移動させる駆動機構と、
を有する撮像装置であって、
前記レンズバリアの位置を検出する検出手段が設けられ、
前記レンズバリアが前記駆動機構によらず前記開放位置から前記閉塞位置に移動したことが前記検出手段によって検知されたときに前記画像記録手段の動作を停止させる制御手段が設けられている、
ことを特徴とする撮像装置。
【請求項２】
前記画像記録手段は、前記撮像信号に対して所定のデータ処理を行うことで前記画像データを生成する画像処理部を有し、前記画像記録手段の動作の停止は、前記制御手段が前記画像処理部を制御することによってなされることを特徴とする請求項１記載の撮像装置。
【請求項３】
前記画像記録手段の動作の停止は、前記制御手段が前記撮像装置の電源を切断することによってなされることを特徴とする請求項１記載の撮像装置。
【請求項４】
前記制御手段は、前記画像記録手段の動作を停止させた後、前記駆動機構によって前記レンズバリアを前記閉塞位置から開放位置に移動させることを特徴とする請求項１記載の撮像装置。
【請求項５】
前記画像記録手段の動作を停止させたときに、前記画像データの記録媒体への記録動作を停止した旨の警告表示を行う警告手段を設けたことを特徴とする請求項１記載の撮像装置。
【請求項６】
前記レンズ鏡筒は、前記撮影光学系と、前記撮影光学系を収容するハウジングを有し、前記撮像装置は外装を構成するケースを有し、前記レンズバリアは、前記ハウジングの外部で前記ケースの内部に配設されていることを特徴とする請求項１記載の撮像装置。
【請求項７】
前記駆動機構は、回転子と固定子からなる電磁式アクチュエータを含んで構成され、前記レンズバリアは、前記開放位置と前記閉塞位置との間の中間の位置に位置した際に前記開放位置または前記閉塞位置のうちの近い方の位置に付勢されることを特徴とする請求項１記載の撮像装置。
【請求項８】
前記レンズバリアは、前記開口の半径方向外側に位置する箇所を支点として前記開放位置と前記閉塞位置との間を揺動可能に配設され、前記レンズバリアの揺動に連動して移動する検知片が設けられ、前記検知片の移動軌跡上に前記検知片の有無を検出する検出センサが設けられ、前記検出手段は前記検知片と検出センサにより構成されていることを特徴とする請求項１記載の撮像装置。
【発明の詳細な説明】
【技術分野】
【０００１】
本発明は撮像装置に関する。
【背景技術】
【０００２】
撮影光学系が組み込まれた鏡筒の内部に撮影光学系によって導かれた被写体像を撮像して撮像信号を生成する撮像素子を設け、撮像素子から出力される撮像信号に基づいて生成した動画データなどの画像データを記録媒体に記録するデジタルビデオカメラなどの撮像装置がある。
このような撮像装置において、鏡筒の開口を開放する開放位置と開口を閉塞する閉塞位置との間で移動するレンズバリアを設け、モータなどの駆動源を用いた駆動機構によってレンズバリアを開閉させるようにしたものが提案されている（例えば特許文献１参照）。
【特許文献１】特開２０００−２９０９６号公報
【発明の開示】
【発明が解決しようとする課題】
【０００３】
このような撮像装置においては、撮影中はレンズバリアが開放位置に保持されているが、例えば撮像装置に物がぶつけるなどして衝撃が撮像装置に加わった場合、その衝撃によって加わる力がレンズバリアに作用し、レンズバリアが開放位置から閉塞位置に移動してしまうことがある。
このような場合、レンズバリアが鏡筒の開口を閉塞してしまうので、得られる画像データが真っ暗なものになってしまい、記録に適さない画像データが記録されてしまう不都合が生じる。
本発明はこのような事情に鑑みなされたもので、その目的は撮影中の撮像装置に衝撃が加わった場合に記録に適さない画像データが記録されることを防止して使い勝手を向上させる上で有利な撮像装置を提供することにある。
【課題を解決するための手段】
【０００４】
上述の目的を達成するため本発明は、撮影光学系が組み込まれたレンズ鏡筒と、前記レンズ鏡筒の内部に設けられ前記撮影光学系によって導かれた被写体像を撮像して撮像信号を生成する撮像素子と、前記撮像素子から出力される前記撮像信号に基づいて生成した画像データを記録媒体に記録する画像記録手段と、前記レンズ鏡筒の開口に設けられ前記開口を開放する開放位置と前記開口を閉塞する閉塞位置との間で移動するレンズバリアと、前記レンズバリアを移動させる駆動機構とを有する撮像装置であって、前記レンズバリアの位置を検出する検出手段が設けられ、前記レンズバリアが前記駆動機構によらず前記開放位置から前記閉塞位置に移動したことが前記検出手段によって検知されたときに前記画像記録手段の動作を停止させる制御手段が設けられていることを特徴とする。
【発明の効果】
【０００５】
そのため、本発明によれば、撮像装置に衝撃が加わった状態で得られた記録に適さない画像データが記録媒体に記録されてしまうことを確実に防止することができ、使い勝手を向上させる上で有利となる。
【発明を実施するための最良の形態】
【０００６】
撮影中の撮像装置に衝撃が加わった場合に記録に適さない画像データが記録されることを防止して使い勝手を向上させるという目的を、レンズバリアの位置を検出する検出手段と、レンズバリアが駆動機構によらず開放位置から閉塞位置に移動したことが検出手段によって検知されたときに画像記録手段の動作を停止させる制御手段とを設けることによって実現した。
【実施例１】
【０００７】
次に本発明の実施例１について図面を参照して説明する。
図１（Ａ）は実施例１の撮像装置の正面図、（Ｂ）は（Ａ）のＢ矢視図、（Ｃ）は（Ａ）のＣ矢視図、（Ｄ）は（Ａ）のＤ矢視図、（Ｅ）は（Ａ）のＥ矢視図、図２（Ｆ）は図１（Ｃ）のＦ矢視図、（Ｇ）は（Ｆ）におけるモニタ側ケースが９０度揺動された状態を示す図である。
図３（Ａ）は実施例１の撮像装置を斜め前方から見た斜視図、（Ｂ）は（Ａ）のＢ部分の拡大斜視図、図４は実施例１の撮像装置を斜め前方から見た斜視図、図５は図３を正面から見た正面図、図６は図３を背面から見た背面図、図７は図３を斜め後方から見た斜視図、図８は図３を斜め後方から見た斜視図、図９（Ａ）、（Ｂ）はモニタ側ケースを回動した状態を示す説明図、図１０（Ａ）、（Ｂ）は本体側ケース用の保護部材の説明図、図１１（Ａ）、（Ｂ）はモニタ側ケースの斜視図、図１２は撮像装置の制御系を示すブロック図である。
図１３（Ａ）はレンズバリア７０が閉塞位置にある状態を示す図、（Ｂ）はレンズバリア７０が開放位置にある状態を示す図、図１４はレンズバリア７０、駆動機構１７０、検出手段１７２の構成を示す分解斜視図、図１５、図１６は駆動機構１７０の動作原理を示す説明図、図１７は動画撮影動作を説明するフローチャートである。
【０００８】
図１２に示すように、本実施例の撮像装置１００は、撮影光学系１４が組み込まれたレンズ鏡筒１２と、撮影光学系１４によって結像された被写体像を撮像するＣＣＤやＣＭＯＳセンサなどで構成された撮像素子１５０などを備えている。
撮像装置１００は、撮像素子１５０から出力された撮像信号に対して所定のデータ処理を行って画像データを生成し、この画像データを記憶媒体１５２に記録する画像処理部１５４、前記画像データを表示パネル１２６に表示させる表示処理部１５６、撮影光学系１４の撮影倍率を変化させるズーム駆動部１５８、後述するレンズバリア７０を開閉する駆動機構１７０、レンズバリア７０の位置を検出する検出手段１７２、制御部１６０などを備えている。
【０００９】
本実施例では、制御部１６０と画像処理部１５４によって特許請求の範囲の画像記録手段が構成され、制御部１６０によって特許請求の範囲の制御手段が構成されている。
制御部１６０は、シャッターボタン１１０、操作スイッチ１１２、撮影開始／停止ボタン１１４、十字キースイッチ１１６、複数の操作スイッチ１１８、リセットスイッチ１２０、複数の操作スイッチ１２８の操作に基づいて画像処理部１５４、表示処理部１５６、ズーム駆動部１５８、駆動機構１７０を制御するＣＰＵなどを含んでいる。
撮像装置１００は、図１、図２に示すように、外装を構成する本体側ケース５０とモニタ側ケース６０を備えている。なお、本明細書において本体側ケース５０の左右は本体側ケース５０を後方から見た状態でいうものとする。
本体側ケース５０は、前後方向の厚さと、該厚さよりも大きい寸法の左右方向の幅と、該幅よりも大きい寸法の上下方向の長さを有する細長形状を呈し、本実施例では細長の矩形板状を呈している。
モニタ側ケース６０は、前後方向の厚さと、該厚さよりも大きい寸法の左右方向の幅と、該幅よりも大きい寸法の上下方向の長さを有する細長の矩形板状を呈し、本実施例では本体側ケース５０と等しい寸法の幅と長さで形成されている。
図２に示すように、本体側ケース５０とモニタ側ケース６０とは本体側ケース５０の厚さ方向の一方の面である内面とモニタ側ケース６０の一方の面である内面とが合わされてその厚さ方向に延在する第１の支軸Ｘ１の回りに揺動可能に結合されている。
本体側ケース５０とモニタ側ケース６０は、図２（Ｆ）に示すように、それらの長さ方向を合致させた非使用位置（イ）と、図２（Ｇ）に示すように、それらの長さ方向のなす角度が９０度となる使用位置（ロ）との間で第１の支軸Ｘ１を中心に揺動可能である。
本実施例では、モニタ側ケース６０は、非使用位置（イ）で、本体側ケース５０の輪郭と重なるように構成されている。
モニタ側ケース６０は、第１の支軸Ｘ１が位置する第１ケース６２と、前記長さ方向に延在する第２の支軸Ｘ２を介して第１ケース６２に対して第２の支軸Ｘ２の回りに揺動可能に結合された第２ケース６４とでその長さ方向に分割されて構成されている。
【００１０】
図３〜図５に示すように、本体側ケース５０は、厚さ方向の一方の面をなす内面５００４と、厚さ方向の他方の面をなす外面５００２と、長さ方向の一方の端面をなす上面５００６と、長さ方向の他方の端面をなす下面５００８と、幅方向の一方の側面をなす左側面５０１０、幅方向の他方の側面をなす右側面５０１２とを有している。
本体側ケース５０の外面５００２の上部の幅方向中央には、前方に臨ませてレンズ鏡筒１２が設けられている。
レンズ鏡筒１２は、撮影光学系１４と、撮像素子３０（図１２参照）とを含んで構成され、本実施例では撮影光学系１４は撮影倍率（ズーム比）が広角側と望遠側の間で連続的に可変されるズーミングレンズとして構成されている。なお、符号７０は後述するレンズバリアであり、本体側ケース５０の内部に配設されている。
本体側ケース５０の外面５００２上部の右寄りの箇所には閃光を発光するフラッシュ部１０６、測距用の補助光を発光する発光部１０８が設けられている。
本体側ケース５０の上面５００６には、ストラップ取付部５０１４が設けられている。
図１（Ｅ）に示すように、本体側ケース５０の下面５００８の左寄り箇所には三脚取り付けねじ５０１６が設けられている。三脚取り付けねじ５０１６の右側にはバッテリー収容室（不図示）が配設されその開口を開閉する開閉蓋５０１８が設けられている。
図３に示すように、本体側ケース５０の左側面５０１０の下部寄りの箇所には、外部装置との間で信号を授受するためのコネクタ（不図示）を収容する凹部５０１９が設けられ、該凹部を開閉する開閉蓋５０２３が設けられている。
【００１１】
図６、図７に示すように、使用位置（ロ）で、非使用位置（イ）において第２ケース６４が合わされた本体側ケース５０の内面５００４の箇所と、非使用位置（イ）において第１ケース６２の幅方向の一方の側部が合わされた本体側ケース５０の内面５００４の箇所とが露出し、これらの箇所は、本体側ケース５０の外縁に位置する外縁部５０２０とこの外縁部５０２０の内側に該外縁部５０２０よりも低い高さで設けられた底面部５０２２とで構成され、底面部５０２２には撮像装置１００の動作にまつわる操作部材が設けられている。
詳細に説明すると、非使用位置（イ）において第２ケース６４が合わされる本体側ケース５０の内面５００４箇所は、使用位置（ロ）において露出し、この露出する箇所の底面部５０２２には、静止画を撮影する際に操作するシャッターボタン１１０と、撮影光学系１４のズーム操作を行うための操作スイッチ１１２と、動画を撮影する際に操作する撮影開始／停止ボタン１１４がこの順番で左から右に向かって並べられている。
また、前記露出する底面部５０２２の下部には、静止画あるいは動画の撮影および再生にまつわる操作を行う十字キースイッチ１１６、複数の操作スイッチ１１８が設けられている。なお、後述するレンズバリア７０は、十字キースイッチ１１６により撮影モードに設定された際に開き、再生モードに設定された際や電源が切断された際に閉じるように構成されている。
また、非使用位置（イ）において第１ケース６２の幅方向の一方の側部が合わされた本体側ケース５０の内面５００４の箇所は使用位置（ロ）で露出し、この露出する底面部５０２２の箇所には、すなわち、本体側ケース５０の内面５００４の上部右寄り箇所には、この撮像装置１００の制御を司る制御部１３６（図１２参照）の動作を強制的に初期化する際に使用されるリセットスイッチ１２０が設けられている。
以下では、これらシャッターボタン１１０、操作スイッチ１１２、撮影開始／停止ボタン１１４、十字キースイッチ１１６、複数の操作スイッチ１１８、リセットスイッチ１２０を操作部材という。
すなわち、本実施例では、図６、図７に示すように、非使用位置（イ）において第２ケース６４が合わされる本体側ケース５０の内面５００４箇所で、使用位置（ロ）において露出し、この露出する箇所に、シャッターボタン１１０、操作スイッチ１１２、撮影開始／停止ボタン１１４、十字キースイッチ１１６、複数の操作スイッチ１１８が設けられているので、モニタ側ケース６０を非使用位置（イ）に位置させた状態でこれらの操作部材がモニタ側ケース６０により覆われ、誤操作が確実に防止されるようになっている。
また、非使用位置（イ）において第１ケース６２の幅方向の一方の側部が合わされた本体側ケース５０の内面５００４の箇所で使用位置（イ）で露出する本体側ケース５０の内面５００４の上部右寄り箇所にデッドスペースが生じるが、このようなデッドスペースにリセットスイッチ１２０などの操作部材を設けることでデッドスペースを有効利用し、撮像装置１００の小型化を図っている。
【００１２】
図６〜図９（Ａ）、（Ｂ）に示すように、外縁部５０２０は、底面部５０２２よりも突出形成され、底面部５０２２は外縁部５０２０よりも低い平坦な平面として形成され、この底面部５０２２と外縁部５０２０とは湾曲面で接続されている。
また、本実施例では、外縁部５０２０は本体側ケース５０とは別の部材により形成され、本体側ケース５０の内面の外縁に設けられた溝に挿入され固定されている。この外縁部５０２０を構成する部材は、図１０（Ａ）、（Ｂ）に示すように、摩擦係数が低くかつ柔軟性を有するエストラマーで構成された第１の縁部材５２０２と、ＡＢＳ樹脂で構成された第２の縁部材５２０４とが重ね合わされて前記第１の縁部材５２０２が内面５００４に突出するように前記溝に例えば接着剤などにより接着されることで配置されている。
外縁部５０２０は、この外縁部５０２０に臨むモニタ側ケース６０の部分、すなわち第２ケース６４の内面６４０４に接触することで、モニタ側ケース６０の回動を円滑に案内し、また、モニタ側ケース６０と本体側ケース５０の損傷を防止している。
また、内面５００４に設けられたシャッターボタン１１０、操作スイッチ１１２、撮影開始／停止ボタン１１４、十字キースイッチ１１６、複数の操作スイッチ１１８の先端は外縁部５０２０よりも低い位置に位置するように設けられており、モニタ側ケース６０の内面６００４および外面６００２と接触して互いに損傷することが防止されている。
【００１３】
図２に示すように、モニタ側ケース６０はその長さ方向に分割され第１の支軸Ｘ１が通る第１ケース６２と、第１ケース６２に対してその長さ方向に延在する第２の支軸Ｘ２の回りに揺動可能に結合された第２ケース６４とで構成され、本実施例では第２の支軸Ｘ２は第１ケース６２および第２ケース６４の幅方向の中央を通るように設けられている。
第１ケース６２は、厚さ方向の一方の面をなす内面６２０２と、厚さ方向の他方の面をなす外面６２０４と、長さ方向の一方の端面をなす上面６２０６と、長さ方向の他方の端面をなす下面６２０８と、幅方向の一方の側面をなす左側面６２１０と、幅方向の他方の側面をなす右側面６２１２とを有している。
第２ケース６４は、厚さ方向の一方の面をなす内面６４０２と、厚さ方向の他方の面をなす外面６４０４と、長さ方向の一方の端面をなす上面６４０６と、長さ方向の他方の端面をなす下面６４０８と、幅方向の一方の側面をなす左側面６４１０と、幅方向の他方の側面をなす右側面６４１２とを有している。
第１ケース６２と第２ケース６４は同じ寸法の幅を有し、かつ、第２ケース６４の長さが第１ケース６２の長さよりも大きい寸法で形成されている。
第１ケース６２が第２ケース６４に臨む端部すなわち下面６２０８と、第２ケース６４が第１ケース６２に臨む端部すなわち上面６４０６は、非使用位置（イ）において、前後方向から見て共に前記幅方向に沿って直線状に延在している。
【００１４】
図２（Ａ）に示すように、第１ケース６２の外面６２０４には、録音用のマイク１２２が外方に臨ませて設けられている。
図２（Ａ）、図３に示すように、第１ケース６２の左側面６２１０には、メモリカードから構成される記憶媒体１５２を装脱するメモリカードスロット１２４が設けられている。
図２、図６〜図８に示すように、第２ケース６４の内面６４０２には、長方形板状の表示パネル１２６が長辺を第２ケース６４の長さ方向と平行させ、短辺を第２ケース６４の幅方向と平行させた状態で設けられている。
表示パネル１２６は、例えば液晶表示器で構成され、レンズ鏡筒１２で撮像した静止画および動画などの画像や文字や記号などが表示される長方形状の表示面１２６Ａを第２ケース６４の内面６４０２に開設された矩形状の開口を介して第２ケース６４の外方に臨ませて配設されている。
図２（Ｇ）に示すように、第２ケース６４の内面６４０２のうち下部寄り箇所には幅方向に沿って、撮影あるいは画像の再生にまつわる操作を行うための複数の操作スイッチ１２８が設けられている。
図２（Ｆ）に示すように、第２ケース６４の外面６４０４にはスピーカー１３０が設けられている。
図１１に示すように、第２ケース６４のうち、下面６４０８の幅方向の両側に位置する隅部６４２０は、少なくとも、合成樹脂材料で構成され、本体側ケース５０の内面５００４に接触しても損傷を与えないように構成されている。
【００１５】
次に、本体側ケース５０とモニタ側ケース６０について詳細に説明する。
図２（Ｆ）、（Ｇ）に示すように、第１の支軸Ｘ１は本体側ケース５０およびモニタ側ケース６０の長さ方向の一方の端部寄り箇所、すなわち上面５００６、６２０６寄り箇所に設けられている。
そして、使用位置（ロ）でモニタ側ケース６０の幅方向の一方に位置する側部（左側面６２１０）と本体側ケース５０の長さ方向の一方に位置する端部（上面５００６）とが、前後方向から見てそれらの輪郭が重なるように構成されている。
また、第１の支軸Ｘ１は、使用位置（ロ）で第２ケース６４が本体側ケース５０の幅方向の一方に位置する側部（左側面５０１０）の外側に位置するように本体側ケース５０の幅方向の中心から幅方向の一方に位置する側部（左側面５０１０）寄りに変位した箇所に位置し、第１の支軸Ｘ１を本体側ケース５０の幅方向の中心に設けた場合に比べて、第２ケース６４の長さ方向の寸法を大きく設定できるようにし、本体側ケース５０およびモニタ側ケース６０の小型化を図りつつ表示パネル１２６の表示面１２６Ａの占有スペースを大きく確保するようにしている。
また、使用位置（ロ）で第２ケース６４に臨む第１ケース６２の端部（上面５００６）は、本体側ケース５０の幅方向の一方に位置する側部（左側面５０１０）の外側に位置し、第２ケース６４に臨む第１ケース６２の端部を除く第１ケース６２の残りの部分は本体側ケース５０上に位置している。
【００１６】
次に撮像装置１００の使用方法について説明する。
撮像装置１００を用いて撮影を行う場合について説明する。
図２（Ｆ）に示すように、予め、モニタ側ケース６０が非使用位置（イ）に位置しているものとする。
ユーザーは、本体側ケース５０を一方の手で保持し、モニタ側ケース６０を他方の手で保持し、図２（Ｇ）に示すように、モニタ側ケース６０を非使用位置（イ）から使用位置（ロ）まで回動させる。
そして、本体側ケース５０の内面５００４をユーザーに向けた状態で本体側ケース５０の下半部を一方の手で把持し、モニタ側ケース６０の第２ケース６４を回動させ表示面１２６Ａをユーザーの方に向ける。
この状態で、撮影光学系１４を被写体に向け、表示面１２６Ａに表示される被写体像を視認しつつシャッターボタン１１０あるいは撮影開始／停止ボタン１１４を操作して撮影を行う。
この際、ユーザーは、第２ケース６４を第２の支軸Ｘ２回りに回動させることで表示面１２６Ａを所望の方向に向けることができる。したがって、撮像装置１００をユーザーの頭部よりも高い位置に保持したハイアングルでの撮影時には表示面１２６Ａを斜め下方に向けることで表示面１２６Ａを容易に視認することができ、撮像装置１００をユーザーの頭部よりも低い位置に保持したローアングルでの撮影時には、表示面１２６Ａを斜め上方に向けることで表示面１２６Ａを容易に視認することができる。
また、第２ケース６４を第２の支軸Ｘ２回りに回動させることで表示面１２６Ａを撮影光学系１４と同一の方向（前方）に向ければ、ユーザーが表示面１２６Ａに表示される自分自身を視認しつつ撮影する、いわゆる自分撮りを行うことができる。
次に、表示面１２６Ａに画像を表示させる場合について説明する。
この場合には、上述したようにモニタ側ケース６０を使用位置（ロ）に位置させた状態で表示面１２６Ａに画像を表示させてもよいし、第２ケース６４を回動させ表示面１２６Ａを本体側ケース５０の内面５００４と反対側に向けた状態でモニタ側ケース６０を非使用位置（イ）に位置させた状態で表示面１２６Ａに画像を表示させてもよい。
【００１７】
次に、撮像装置１００を使用位置（ロ）から非使用位置（イ）にする場合について説明する。
ユーザーは、本体側ケース５０を一方の手で保持し、モニタ側ケース６０の第２ケース６４を他方の手で回動させ表示面１２６Ａを本体側ケース５０の内面５００４に臨ませる。
そして、モニタ側ケース６０を他方の手で非使用位置（イ）から使用位置（ロ）まで回動させる。これにより、本体側ケース５０とモニタ側ケース６０はそれらの輪郭が合致し携帯あるいは収納に適したコンパクトな状態となる。
【００１８】
次に本発明の要部であるレンズバリア７０、駆動機構１７０、検出手段１７２について説明する。
図１３に示すように、レンズ鏡筒１２は、前後方向の厚さと、厚さよりも大きな寸法の左右方向の幅と、幅よりも大きな寸法の上下方向の高さを有する矩形板状のハウジング１２０２を有しており、ハウジング１２０２の前面１２０４の上部に前方に臨む開口１２０６が設けられ、ハウジング１２０２の内部に撮影光学系１４、撮像素子１５０が配設されている。
図１、図３、図４、図５に示すように、ハウジング１２０２（レンズ鏡筒１２）は開口１２０６を本体側ケース５０に設けられた開口５０５０を介して前方に臨ませた状態で本体側ケース５０内部に組み込まれている。
さらに詳細には、ハウジング１２０２（レンズ鏡筒１２）は、ハウジング１２０２の前面１２０４を前方に臨ませ、厚さ方向を本体側ケース５０の前後方向に、幅方向を本体側ケース５０の左右方向に、高さ方向を本体側ケース５０の上下方向に合致させた状態で本体側ケース５０に組み込まれている。
【００１９】
レンズバリア７０は、駆動機構１７０によって図１３（Ａ）、（Ｂ）に示すように開口１２０６を開閉するように設けられている。
レンズバリア７０は、ハウジング１２０２の外部で本体側ケース５０の内部に配設されている。
図１３に示すように、レンズバリア７０は、開口１２０６，５０５０よりも大きな輪郭を有する円板状に形成された本体７００２と、本体７００２の外周から本体７００２の半径方向外方に膨出形成された腕部７００４とを有している。
レンズバリア７０は、腕部７００４が開口１２０６の半径方向外側に位置する箇所に設けられた支軸７０１０によって回転可能に支持され、この支軸７００６を支点として図１３（Ａ）に示す開口１２０６を開放する開放位置と、図１３（Ｂ）に示す開口１２０６を閉塞する閉塞位置との間で揺動するように構成されている。
腕部７００４には、駆動機構１７０が連結されるための長孔７００６が形成されている。
【００２０】
図１４に示すように、駆動機構１７０は、軸受け部１７３、固定子１７４、回転子１７６、揺動アーム１７８、不図示のレンズバリア駆動回路などを有している。
駆動機構１７０はハウジング１２０２内部に配設されている。
軸受け部１７３は筒状を呈し、その軸線をハウジング１２０２の前後方向に合致させてハウジング１２０２の内部の部分１２０３に設けられている。
固定子１７４は、永久磁石によって構成され、軸受け部１７３の軸線を中心とする円筒壁状の基部１７４Ａと、基部１７４Ａから連続する円筒壁に半径方向に貫通する切り欠きが設けられることで形成された互いに対向する円弧壁状の２つの固定子側磁極１７４Ｂとを有している。
基部１７４Ａはハウジング１２０２の部分１２０３に取着され、各固定子側磁極１７４Ｂは、前記軸線を中心として対称となるように同一の形状で形成され、本実施例では、各固定子側磁極１７４Ｂは周方向の角度が９０度の範囲で形成されている。
図１５に示すように、前記軸線方向から見て２つの固定子側磁極１７４Ｂの一方がＮ極とＳ極の一方に着磁され、他方がＮ極とＳ極の他方に着磁されている。
【００２１】
回転子１７６は、前記軸受け部１７３によって回転可能に支持される軸部１７６Ａと、軸部１７６Ａの中間に固定され固定子１７４の各固定子側磁極１７４Ｂの内側に配置される電磁石部１７６Ｂを有している。
電磁石部１７６Ｂは、固定子１７４の各固定子側磁極１７４Ｂの内側で軸部１７６Ａを中心に回転できる大きさで形成されている。
電磁石部１７６Ｂは、鉄などの強磁性体で形成された強磁性体部分と該強磁性体部分に巻回されたコイルで構成され、２つの固定子側磁極１７４Ｂに対応する２つの回転子側磁極部１７６Ｃを有している。
電磁石部１７６Ｂは、前記不図示のレンズバリア駆動回路から前記コイルに供給される駆動電流によって発生する磁界によって２つの回転子側磁極部１７６Ｃのうちの一方がＮ極とＳ極の一方に着磁され、他方がＮ極とＳ極の他方に着磁されるように構成されており、前記駆動電流の向きが反転すると着磁される磁極の極性（Ｎ極とＳ極）も反転される。
また、電磁石部１７６Ｂの回転子側磁極部１７６Ｃは強磁性体部分で構成されているので、前記コイルの磁界による着磁の有無とは拘わりなく磁力によって吸引される性質を有している。
【００２２】
揺動アーム１７８は、軸部１７６Ａの先端から軸部１７６Ａと直交する方向に延在され、軸部１７６Ａと一体に揺動されるように構成されている。
揺動アーム１７８の先端には、前記回転子１７６Ｂと反対方向に突出するピン１７８Ａと、回転子１７６Ｂ方向に突出する検知片１７９が設けられている。
ピン１７８Ａはレンズバリア７０の長孔７００６に係合されており、回転子１７６が回転することでピン１７８Ａと長孔７００６を介してレンズバリア７０が支軸７０１０を中心に揺動され、前記開放位置と閉塞位置に移動するように構成されている。
【００２３】
検知片１７９の移動軌跡上には、検知片１７９の有無を検出するフォトインタラプタ１８０（特許請求の範囲の検出センサに相当）がハウジング１２０２内の適宜箇所に取着されて配設されている。本実施例では、レンズバリア７０が前記閉塞位置に位置したときに検知片１７９がフォトインタラプタ１８０によって検知されるように構成され、フォトインタラプタ１８０の検知信号が制御部１６０に供給されるように構成されている。これら検知片１７９とフォトインタラプタ１８０によって前記検出手段１７２が構成されている。
【００２４】
次にレンズバリア７０の開閉動作について説明する。
まず、レンズバリア７０が図１３（Ａ）に示す開放位置から（Ｂ）に示す閉塞位置に移動する場合について説明する。
図１５（Ａ）に示すように、レンズバリア７０が開放位置に位置した状態では、回転子１７６のＮ極に着磁された回転子側磁極部１７６ＣがＳ極の固定子側磁極１７４Ｂに対面し、回転子１７６のＳ極に着磁された回転子側磁極部１７６ＣがＮ極の固定子側磁極１７４Ｂに対面している。
この状態で、回転子１７６の２つの回転子側磁極部１７６Ｃの磁極のＮ極とＳ極が反転するように前記レンズバリア駆動回路から回転子１７６のコイルに駆動電流が供給される。
すると、図１５（Ｂ）に示すように、回転子１７６の２つの回転子側磁極部１７６Ｃの磁極のＮ極とＳ極が反転され、各回転子側磁極部１７６Ｃと固定子側磁極１７４Ｂは互いに同じ極性の磁極が対面する。これにより、磁気反発力が発生して回転子１７６には図１５（Ｂ）に示すように紙面時計回り方向の回転力が作用し、図１５（Ｃ）、（Ｄ）、（Ｅ）に示すように回転子１７６が回転し、回転子１７６は、図１５（Ｆ）に示すように各回転子側磁極部１７６Ｃと固定子側磁極１７４Ｂが互いに異なる極性の磁極が対面し互いに磁気吸引力が作用した状態で停止する。
これにより回転子１７６および揺動アーム１７８が１８０度回転するため、ピン１７８Ａと長孔７００６を介してレンズバリア７０が支軸７０１０を中心に揺動され、図１３（Ａ）に示す開放位置から図１３（Ｂ）に示す閉塞位置に移動される。
そして、この状態で前記レンズバリア駆動回路から回転子１７６のコイルへ供給される駆動電流がゼロになってコイルの磁界が無くなっても、回転子１７６の各回転子側磁極部１７６Ｃは強磁性体で構成されているので、固定子側磁極１７４Ｂの磁力による吸引力が作用しており、回転子１７６の回転位置は図１５（Ｆ）の状態で保持され、したがってレンズバリア７０は閉塞位置に付勢されレンズバリア７０が閉塞位置に保持されることになる。
【００２５】
次に、レンズバリア７０が図１３（Ｂ）に示す閉塞位置から（Ｂ）に示す開放位置に移動する場合について説明する。
図１６（Ａ）に示すように、レンズバリア７０が閉塞位置に位置した状態では、回転子１７６のＮ極に着磁された回転子側磁極部１７６ＣがＳ極の固定子側磁極１７４Ｂに対面し、回転子１７６のＳ極に着磁された回転子側磁極部１７６ＣがＮ極の固定子側磁極１７４Ｂに対面している。
この状態で、回転子１７６の２つの回転子側磁極部１７６Ｃの磁極のＮ極とＳ極が反転するように前記レンズバリア駆動回路から回転子１７６のコイルに駆動電流が供給される。
すると、図１６（Ｂ）に示すように、回転子１７６の２つの回転子側磁極部１７６Ｃの磁極のＮ極とＳ極が反転され、各回転子側磁極部１７６Ｃと固定子側磁極１７４Ｂは互いに同じ極性の磁極が対面する。これにより、磁気反発力が発生して回転子１７６には図１５（Ｂ）に示すように紙面時計回り方向の回転力が作用し、図１６（Ｃ）、（Ｄ）、（Ｅ）に示すように回転子１７６が回転し、回転子１７６は、図１６（Ｆ）に示すように各回転子側磁極部１７６Ｃと固定子側磁極１７４Ｂが互いに異なる極性の磁極が対面し互いに磁気吸引力が作用した状態で停止する。
これにより回転子１７６および揺動アーム１７８が１８０度回転するため、ピン１７８Ａと長孔７００６を介してレンズバリア７０が支軸７０１０を中心に揺動され、図１３（Ｂ）に示す閉塞位置から図１３（Ａ）に示す開放位置に移動される。
そして、この状態で前記レンズバリア駆動回路から回転子１７６のコイルへ供給される駆動電流がゼロになってコイルの磁界が無くなっても、回転子１７６の各回転子側磁極部１７６Ｃは強磁性体で構成されているので、固定子側磁極１７４Ｂの磁力による吸引力が作用しており、回転子１７６の回転位置は図１６（Ｆ）の状態で保持され、したがってレンズバリア７０は開放位置に付勢されレンズバリア７０が開放位置に保持されることになる。
なお、本実施例では、回転子１７６と固定子１７４とによって特許請求の範囲の電磁式アクチュエータが構成されている。
【００２６】
本実施例では、回転子１７６の回転子側磁極部１７６Ｃが強磁性体で構成されていることから、固定子側磁極１７４Ｂの磁力による吸引力が作用するため、回転子１７６の回転位置は図１５（Ｆ）の状態で保持されるか、図１６（Ｆ）の状態で保持されるかの何れかとなる。
言い換えると、レンズバリア７０は、前記開放位置と前記閉塞位置の間の中間の位置に位置した際に前記吸引力によって前記開放位置または前記閉塞位置のうちの近い方の位置に付勢される。
したがって、レンズバリア７０が前記開放位置に位置した状態で撮像装置１００に物がぶつかるなどして衝撃が加わり、その衝撃によってレンズバリア７０に作用する力がレンズバリア７０を前記開放位置に付勢する付勢力を上回ると、レンズバリア７０が前前記開放位置と前記閉塞位置の間の中間の位置で閉塞位置に近い位置まで揺動され、前記閉塞位置に付勢する付勢力により前記閉塞位置に揺動されてしまうことになる。
動画の撮影動作中にレンズバリア７０が前記閉塞位置に揺動されると、レンズ鏡筒１２の開口１２０６を閉塞してしまうので、得られる画像データが真っ暗なものになってしまい、記録に適さない画像データが記録されてしまう不都合が生じるが、本実施例では以下に説明する動作を行うことでこのような不都合を回避している。
【００２７】
次に撮像装置による動画撮影動作について図１７のフローチャートを参照して説明する。
予め撮像装置１００は電源が切断された状態であり、レンズバリア７０は前記閉塞位置に位置しているものとして説明する。
まず、撮像装置１００の電源スイッチが投入されると、制御部１６０は、前記操作スイッチの操作に基づいて動画撮影モードに設定されたか否かを監視している（ステップＳ１０）。
制御部１６０は、前記動画撮影モードに設定されると、前記レンズバリア駆動回路を制御してレンズバリア７０を前記閉塞位置から開放位置に移動させる（ステップＳ１２）。
次いで制御部１６０は、撮影開始／停止ボタン１１４の操作によって動画撮影の開始が指示されたか否かを監視する（ステップＳ１４）。
ステップＳ１４が否定（“Ｎ”）ならば、ステップＳ１４を繰り返して待機する。
ステップＳ１４が肯定（“Ｙ”）ならば、画像処理部１５４を制御することにより像素子１５０から出力された撮像信号に基づいて動画データ（画像データ）を生成し、その動画データを記憶媒体１５２に記録する（ステップＳ１６）。
次いで、制御部１６０は、撮影開始／停止ボタン１１４の操作によって動画撮影の停止が指示されたか否かを監視する（ステップＳ１８）。
ステップＳ１８が肯定（“Ｙ”）ならば動画データの記録動作を停止し（ステップＳ３０）、ステップＳ１４に移行する。
ステップＳ１８が否定（“Ｎ”）ならば、制御部１６０は、フォトインターラプタ１８０の検知信号に基づいてレンズバリア７０が閉塞位置に移動しているか否かを監視する（ステップＳ２０）。
ステップＳ２０が否定（“Ｎ”）ならば、ステップＳ１６に移行して動画データの記録動作を継続する。
ステップＳ２０が肯定（“Ｙ”）ならば、言い換えると、レンズバリア７０が駆動機構１７０によらず前記開放位置から前記閉塞位置に移動したことが検出手段１７２によって検知されると、制御部１６０は画像処理部１５４を制御することにより動画データの記憶媒体１５２への記録動作を停止させる（ステップＳ２２）。
これにより、撮像装置１００に対して衝撃が加わるなどしてレンズバリア７０が閉塞位置に移動した時点以降の動画データが記録媒体１５２に記録されることが回避される。
さらに、制御部１６０は、表示処理部１５６を制御して表示パネル１２６に動画データの記録動作を停止した旨の警告を表示させ（ステップＳ２４）、ユーザーに記録動作の停止を知らせる。したがって、本実施例では、表示パネル１２６、表示制御部１５６、制御部１６０によって特許請求の範囲の警告手段が構成されている。
そして、制御部１６０は、例えば画像を撮影して記録媒体１５２に記録する撮影モード（動画あるいは静止画）か、記録媒体１５２の画像データを読み出して表示パネル１２６に表示させる再生モードかなどの選択を待機する状態に移行する（ステップＳ２６）。
【００２８】
本実施例によれば、レンズバリア７０の位置を検出する検出手段１７２を設け、レンズバリア７０が駆動機構１７０によらず前記開放位置から前記閉塞位置に移動したことが検出手段１７２によって検知されたときに動画データの記録媒体１５２への記録動作を停止させるようにしたので、撮像装置１００に衝撃が加わった状態で得られた記録に適さない画像データ（レンズバリア７０が閉塞位置に移動することで真っ暗になった画像データ）が記録媒体１５２に記録されてしまうことを確実に防止することができ、使い勝手を向上させる上で有利となる。
また、本実施例では、動画データの記録媒体１５２への記録動作を停止した旨の警告を表示パネル１２６に表示させるようにしたので、ユーザーが記録動作の停止を確実に認識する上で有利となる。
【００２９】
また、本実施例では、図１７のステップＳ２２に示すように、画像データの記録媒体１５２への記録動作の停止を、制御部１６０が画像処理部１５６を制御することによって行ったが、前記記録動作の停止を、制御部１６０が撮像装置１００の電源を切断することで実現してもよい。このようにすれば、簡素な制御によってユーザーに対して記録動作を停止した旨を確実に報知することができる。
また、本実施例では、図１７のステップＳ２６に示すように、動画データの記録媒体への記録動作を停止させた後、撮像装置１００を前記のような待機状態としたが、ステップＳ２６に代えて、制御部１６０が前記レンズバリア駆動回路を制御してレンズバリア７０を閉塞位置から開放位置に強制的に移動させ、ステップＳ１４に移行して撮影開始／停止ボタン１１４の操作を待機するようにしてもよい。このようにすれば、直ちに撮影操作を行うことができ操作性を向上させる上で有利となる。
また、本実施例では、動画データの記録媒体１５２への記録動作を停止した旨の警告を表示パネル１２６に表示させるようにしたが、前記警告は例えば警告音などの音声をスピーカー１３０から出力することで行ってもよいし、表示と音声の両方を併用してもよい。また、このような警告を行うか否かは任意である。
また、本実施例では、動画撮影の場合について説明したが、本発明は静止画撮影においても無論適用可能である。例えば、数秒あるいは数十秒といった長時間にわたってシャッタを開放するなどの静止画撮影において、その撮影中に衝撃が撮像装置１００に加わった場合に、動画撮影時と同様に記録に適さない画像データの記録を防止することができ使い勝手を向上する上で有利であることは動画撮影の場合と同様である。
また、本実施例では、検出手段１７２が検知片１７９とフォトインタラプタ１８０で構成されている場合について説明したが、フォトインタラプタ１８０の代わりに検知片１７９に接触して動作する検知スイッチを用いるなど、検出手段１７２は従来公知の様々な機構を採用可能である。
また、本実施例では、レンズバリア７０が長孔７００６、ピン１７８Ａ、揺動アーム１７８を介して回転子１７６と連結されている場合について説明したが、レンズバリア７０の支軸７０１０が回転子１７６の軸部１７６Ａと結合され、レンズバリア７０が回転子１７６と一体的に揺動される構成であってもよい。
また、本実施例では、駆動機構１７０が固定子１７４と回転子１７６からなる電磁式アクチュエータを含む場合について説明したが、本発明はこのような電磁式アクチュエータを用いた構成に限定されるものではなく、従来公知の電動モータやギア列を用いたギア機構、あるいは、リンク機構などを用いてもよいことは無論である。
【００３０】
なお、実施例では、撮像装置として静止画および動画の双方を撮影可能なものを例示したが、静止画および動画のいずれか一方を撮影するものであっても本発明は無論適用可能である。
また、実施例では、本発明を撮像装置に適用した場合について説明したが、本発明は撮像装置に限定されるものではなくこのような撮像装置を組み込んだカメラ付携帯電話機にも適用可能であることはもちろんである。
【図面の簡単な説明】
【００３１】
【図１】実施例１の撮像装置の構成を示す図である。
【図２】実施例１の撮像装置の構成を示す図である。
【図３】実施例１の撮像装置を斜め前方から見た斜視図である。
【図４】実施例１の撮像装置を斜め前方から見た斜視図である。
【図５】図３を正面から見た正面図である。
【図６】図３を背面から見た背面図である。
【図７】図３を斜め後方から見た斜視図である。
【図８】図３を斜め後方から見た斜視図である。
【図９】モニタ側ケースを回動した状態を示す説明図である。
【図１０】本体側ケース用の第１、第２縁部材の説明図である。
【図１１】モニタ側ケースの斜視図である。
【図１２】撮像装置の制御系を示すブロック図である。
【図１３】（Ａ）はレンズバリア７０が閉塞位置にある状態を示す図、（Ｂ）はレンズバリア７０が開放位置にある状態を示す図である。
【図１４】レンズバリア７０、駆動機構１７０、検出手段１７２の構成を示す分解斜視図である。
【図１５】駆動機構１７０の動作原理を示す説明図である。
【図１６】駆動機構１７０の動作原理を示す説明図である。
【図１７】動画撮影動作を説明するフローチャートである。
【符号の説明】
【００３２】
１２……レンズ鏡筒、１４……撮影光学系、７０……レンズバリア、１５０……撮像素子、１５４……画像処理部、１６０……制御部、１７０……駆動機構、１７２……検出手段、１００……撮像装置。
【図１】
2006078755.tif 000003
【図２】
2006078755.tif 000004
【図３】
2006078755.tif 000005
【図４】
2006078755.tif 000006
【図５】
2006078755.tif 000007
【図６】
2006078755.tif 000008
【図７】
2006078755.tif 000009
【図８】
2006078755.tif 000010
【図９】
2006078755.tif 000011
【図１０】
2006078755.tif 000012
【図１１】
2006078755.tif 000013
【図１２】
2006078755.tif 000014
【図１３】
2006078755.tif 000015
【図１４】
2006078755.tif 000016
【図１５】
2006078755.tif 000017
【図１６】
2006078755.tif 000018
【図１７】
2006078755.tif 000019